(57)【要約】【課題】原稿が排出方向に比較的長くても、スタッカーに原稿を整列した状態に排出することができる画像読取装置を提供する。【解決手段】画像読取装置は、原稿を搬送する搬送部と、原稿の画像を読み取る読取部と、原稿の長さを検出する検出部と、前記読取部による読み取り後の原稿を排出する排出部と、排出された原稿を受けるスタッカーと、搬送部及び排出部を制御する制御部とを備える。制御部は、検出部により検出された原稿長さＬから特定される原稿が第１原稿Ｄ１であるときは、その第１原稿Ｄ１を第１搬送速度Ｖ１で排出し、第１原稿Ｄ１よりも長い第２原稿Ｄ２であるときは、第２原稿Ｄ２を第１搬送速度Ｖ１よりも遅い第２搬送速度Ｖ２で排出する。【選択図】図６
2019075690.tif 000002
【特許請求の範囲】
【請求項１】
原稿を搬送する搬送部と、
原稿の画像を読み取る読取部と、
原稿の長さを検出する検出部と、
前記読取部による読取り後の原稿を排出する排出部と、
排出された原稿を受けるスタッカーと、
前記搬送部及び前記排出部を制御する制御部と、
を備え、
前記制御部は、前記検出部により検出された原稿長さから特定される前記原稿が第１原稿であるときは、当該第１原稿を第１搬送速度で排出し、前記第１原稿よりも長い第２原稿であるときは、当該第２原稿を前記第１搬送速度よりも遅い第２搬送速度で排出することを特徴とする画像読取装置。
【請求項２】
前記制御部は、前記検出部の検出結果に基づき前記原稿が前記第２原稿である場合、前記読取部が当該第２原稿を読み取る間は当該第２原稿を読取速度で搬送し、前記読取部が読取りを完了したら、当該第２原稿の搬送速度を前記読取速度から第２搬送速度に減速させることを特徴とする請求項１に記載の画像読取装置。
【請求項３】
前記搬送部及び前記排出部は共通の動力源を有し、
前記制御部は、先に給送された先行原稿が前記第２原稿である場合、当該第２原稿が前記排出部を通過した後、前記搬送部及び前記排出部を増速させ、前記搬送部及び前記排出部が当該第２原稿を排出するときの第２搬送速度から前記読取部が原稿を読み取るときの読取速度に達した後に、前記先行原稿の次に給送された後続原稿の読み取りが開始されるように、当該後続原稿の給送開始タイミングを制御することを特徴とする請求項１又は請求項２に記載の画像読取装置。
【請求項４】
前記先行原稿が前記第２原稿である場合は、前記先行原稿が第１原稿である場合に比べ、前記後続原稿の給送開始タイミングを遅らせることを特徴とする請求項３に記載の画像読取装置。
【請求項５】
前記原稿を給送して前記搬送部へ受け渡す給送部を更に備え、
前記制御部は、前記給送部を制御し、前記原稿を第１給送速度で給送した後に、前記第１給送速度から第２給送速度まで加速し、
前記先行原稿が前記第２原稿である場合は、前記先行原稿が第１原稿である場合に比べ、前記後続原稿を前記第１給送速度から前記第２給送速度へ加速させる加速タイミングを遅らせることを特徴とする請求項３又は請求項４に記載の画像読取装置。
【請求項６】
前記制御部は、前記原稿が前記第１原稿よりも長さの短い第３原稿であるときは、当該第３原稿を前記第２搬送速度で排出することを特徴とする請求項１〜請求項５のいずれか一項に記載の画像読取装置。
【請求項７】
前記スタッカーは、原稿の排出方向における長さが前記第１原稿よりも長くかつ前記第２原稿よりも短い所定の長さ範囲で長さ調整可能な載置部と、前記載置部における前記原稿の排出方向の先端部に規制位置と退避位置とに移動可能に設けられ、前記原稿の排出方向の先端を当てて当該原稿のそれ以上の排出方向への移動を規制するストッパーとを有することを特徴とする請求項１〜請求項６のいずれか一項に記載の画像読取装置。
【請求項８】
前記制御部は、複数枚の原稿を読み取る読取ジョブでは、原稿の長さを１枚ごと検出し、前記排出部により前記原稿を排出するときの搬送速度を前記原稿ごとに当該原稿の長さに応じて、前記第１搬送速度と前記第２搬送速度との間で切り換えることを特徴とする請求項１〜請求項７のいずれか一項に記載の画像読取装置。
【請求項９】
前記スタッカーの長さを調整する動力を供給可能な動力源を更に備え、
前記制御部は、前記検出部が検出した前記原稿の長さに応じて前記スタッカーの長さを変更させることを特徴とする請求項１〜請求項８のいずれか一項に記載の画像読取装置。
【請求項１０】
前記スタッカーの先端部に設けられたストッパーが規制位置にあるか退避位置にあるかを検知するセンサーと、
ユーザーに対して表示又は音声で報知可能な報知部とを備え、
前記制御部は、前記センサーにより前記ストッパーが規制位置にあることを検知し、かつ前記検出部により前記第２原稿を検出すると、当該第２原稿の読取りを中断し、かつ前記報知部に前記ストッパーの退避位置への移動を促すメッセージを報知することを特徴とする請求項１〜請求項９のいずれか一項に記載の画像読取装置。
【請求項１１】
複数の原稿を載置可能な給送部を更に備え、
前記給送部は、下側に載置された原稿から順番に給送することを特徴とする請求項１〜請求項１０のいずれか一項に記載の画像読取装置。
【発明の詳細な説明】
【技術分野】
【０００１】
本発明は、原稿を搬送する搬送機能と、搬送中の原稿から画像を読み取る読取機能とを備え、原稿読取り後に排出された原稿を受けるスタッカーを備えた画像読取装置に関する。
【背景技術】
【０００２】
特許文献１には、装置にセットされた複数の原稿を１枚ずつ給送し、搬送中の原稿から画像を読み取る画像読取装置が開示されている。この画像読取装置では、原稿の原稿長が、搬送経路に沿った供給ローラーと第１搬送ローラーの間の第１搬送距離以上の長さを有し、搬送経路に沿った供給ローラーと第２搬送ローラーとの間の第２搬送距離よりも短い第１原稿種の原稿である場合、原稿が供給ローラーから離反する離反タイミングにおける原稿の搬送速度を遅くし、原稿を読み取る。このため、原稿が供給ローラーと離反する際に、それまで供給ローラーから受けていた抑止力から開放されることから、瞬間的に原稿の搬送速度が上昇する事象を回避し、原稿の一部が読み取りできない領域が生じることを防止する。
【０００３】
この種の画像読取装置には、読み取り後に排出口から排出された原稿を、積層状態に受ける媒体受けトレイ（スタッカーの一例）を備えたものがある（例えば特許文献２）。媒体受けトレイは、伸縮式の構造で、ユーザーは原稿サイズに応じた長さに媒体受けトレイを伸縮させて必要な長さに調整して使用する。また、媒体受けトレイの先端部には回動式のストッパーが設けられている。
【０００４】
例えばＡ４判サイズの原稿を読み取る場合、媒体受けトレイをＡ４判サイズの長さに伸長し、その先端部のストッパーを回動させて立てる。読み取られた原稿は、排出された際にその先端がストッパーに当たり、媒体受けトレイ上に整列状態で積層される。
【０００５】
ところで、この種の画像読取装置では、媒体受けトレイが対応するサイズよりも大きな原稿を読み取る場合、媒体受けトレイ上に排出される原稿が媒体受けトレイよりも長いので、ストッパーは立てずに、原稿の先端部を媒体受けトレイの先端から所定長さ垂らした状態に積層される。
【先行技術文献】
【特許文献】
【０００６】
【特許文献１】特開２０１４−１０３５６０号公報
【特許文献２】特開２０１７−７５０４０号公報
【発明の概要】
【発明が解決しようとする課題】
【０００７】
しかしながら、特許文献１、２に記載された画像読取装置では、排出口から読取り後の原稿が排出するときには原稿の排出速度が原稿サイズ（原稿長さ）によらず、読取解像度に応じて決まる一定の速度である。そして、標準サイズの原稿（第１原稿の一例）は媒体受けトレイの先端部のストッパーに当たるため、媒体受けトレイ上に整列した状態で積載される。一方、媒体受けトレイよりも長い原稿（第２原稿の一例）は、例えば媒体受けトレイのストッパーを立てずに使用され、ストッパーに当たって位置規制されることがないので、媒体受けトレイの先端から一部垂れ下がった状態で媒体受けトレイ上に整列されない比較的バラバラな状態で積載されるという課題がある。そのため、媒体受けトレイよりも長い原稿を媒体受けトレイ上に比較的整列した状態に積載できることが要望されている。
【０００８】
本発明の目的は、原稿が排出方向に比較的長くても、原稿をスタッカー上に整列した状態に排出することができる画像読取装置を提供することにある。
【課題を解決するための手段】
【０００９】
以下、上記課題を解決するための手段及びその作用効果について記載する。
上記課題を解決する画像読取装置は、原稿を搬送する搬送部と、原稿の画像を読み取る読取部と、原稿の長さを検出する検出部と、前記読取部による読取り後の原稿を排出する排出部と、排出された原稿を受けるスタッカーと、前記搬送部及び前記排出部を制御する制御部と、を備え、前記制御部は、前記検出部により検出された原稿長さから特定される前記原稿が第１原稿であるときは、当該第１原稿を第１搬送速度で排出し、前記第１原稿よりも長い第２原稿であるときは、当該第２原稿を前記第１搬送速度よりも遅い第２搬送速度で排出する。
【００１０】
この構成によれば、第１原稿は第１搬送速度でスタッカーへ排出され、第１原稿よりも長い第２原稿は第１搬送速度よりも遅い第２搬送速度でスタッカーへ排出される。この結果、原稿が排出方向に比較的長くても、原稿をスタッカー上に整列した状態に排出することができる。
【００１１】
上記画像読取装置において、前記制御部は、前記検出部の検出結果に基づき前記原稿が前記第２原稿である場合、前記読取部が当該第２原稿を読み取る間は当該第２原稿を読取速度で搬送し、前記読取部が読取りを完了したら、当該第２原稿の搬送速度を前記読取速度から第２搬送速度に減速させることが好ましい。
【００１２】
この構成によれば、第２原稿を第１原稿と同様に適切な読取速度で読取り終えてから、スタッカー上に整列した状態に排出することができる。
上記画像読取装置において、前記搬送部及び前記排出部は共通の動力源を有し、前記制御部は、先に給送された先行原稿が前記第２原稿である場合、当該第２原稿が前記排出部を通過した後、前記搬送部及び前記排出部を増速させ、前記搬送部及び前記排出部が当該第２原稿を排出するときの第２搬送速度から前記読取部が原稿を読み取るときの読取速度に達した後に、前記先行原稿の次に給送された後続原稿の読み取りが開始されるように、当該後続原稿の給送開始タイミングを制御することが好ましい。
【００１３】
この構成によれば、先行原稿が第２原稿である場合、第２原稿が排出部を通過した後、搬送部及び排出部が増速され、第２原稿を排出するときの第２搬送速度から、読取部が原稿を読み取るときの読取速度に達した後に、後続原稿の読み取りが開始されるように後続原稿の給送開始タイミングが制御される。つまり、先行原稿が第２原稿である場合は、先行原稿が第１原稿である場合よりも、動力源を先行原稿の排出時の駆動速度から増速させるときの開始速度が遅い分、後続原稿の給送開始タイミングを遅らせる。このため、先行原稿が第２原稿であってその排出速度を遅くした場合でも、読取部によって第２搬送速度よりも高速な適切な読取速度で後続原稿の読取りを開始することができる。
【００１４】
上記画像読取装置において、前記先行原稿が前記第２原稿である場合は、前記先行原稿が第１原稿である場合に比べ、前記後続原稿の給送開始タイミングを遅らせることが好ましい。
【００１５】
この構成によれば、先行原稿が第２原稿である場合にその第２原稿を第１搬送速度よりも遅い第２搬送速度で排出しても、後続原稿の給送開始タイミングを先行原稿が第１原稿である場合よりも遅らせる。このため、先行原稿が第１原稿か第２原稿であるかに関わらず、後続原稿の読取りを適切な読取速度で開始することができる。
【００１６】
上記画像読取装置において、前記原稿を給送して前記搬送部へ受け渡す給送部を更に備え、前記制御部は、前記給送部を制御し、前記原稿を第１給送速度で給送した後に、前記第１給送速度から第２給送速度まで加速し、前記先行原稿が前記第２原稿である場合は、前記先行原稿が第１原稿である場合に比べ、前記後続原稿を前記第１給送速度から前記第２給送速度へ加速させる加速タイミングを遅らせることが好ましい。
【００１７】
この構成によれば、先行原稿が第２原稿である場合、第２原稿の排出時の搬送速度を第１原稿のときの第１搬送速度よりも遅い第２搬送速度としたために、排出部と動力源が共通の搬送部と給送部との間の速度差が過大になることを回避し、後続原稿を給送部から搬送部へスムーズに受け渡すことができる。
【００１８】
上記画像読取装置において、前記制御部は、前記原稿が前記第１原稿よりも長さの短い第３原稿であるときは、当該第３原稿を前記第２搬送速度で排出することが好ましい。
この構成によれば、検出部により検出された原稿の長さから特定される原稿が、第１原稿よりも長さの短い第３原稿であるときは、第２原稿と同様に第２搬送速度で排出される。この結果、スタッカーに第３原稿を整列性よく積載することができる。例えば、スタッカーの長さが調整可能である場合に、第１原稿と第３原稿とが混載されている複数の原稿を読み取る場合において、スタッカーの長さが第１原稿の長さに合わせられている場合でも、スタッカーに第１原稿と共に第３原稿を整列性よく積載することができる。
【００１９】
上記画像読取装置において、前記スタッカーは、原稿の排出方向における長さが前記第１原稿よりも長くかつ前記第２原稿よりも短い所定の長さ範囲で長さ調整可能な載置部と、前記載置部における前記原稿の排出方向の先端部に規制位置と退避位置とに移動可能に設けられ、前記原稿の排出方向の先端を当てて当該原稿のそれ以上の排出方向への移動を規制するストッパーとを有することが好ましい。
【００２０】
この構成によれば、原稿が第２原稿であれば、排出部により第１原稿のときの第１搬送速度よりも遅い第２搬送速度で排出される。第１原稿よりも長い第２原稿はその先端部分がスタッカーのストッパーを越えて垂れ下がる状態でスタッカー上に排出される。このとき、第２原稿は第１搬送速度よりも遅い第２搬送速度で排出されるので、スタッカーの先端から垂れ下がる状態で整列されて積載できる。例えば第２原稿がスタッカーの先端へ落下することを効果的に抑えることができる。
【００２１】
上記画像読取装置において、前記制御部は、複数枚の原稿を読み取る読取ジョブでは、原稿の長さを１枚ごと検出し、前記排出部により前記原稿を排出するときの搬送速度を前記原稿ごとに当該原稿の長さに応じて、前記第１搬送速度と前記第２搬送速度との間で切り換えることが好ましい。
【００２２】
この構成によれば、複数枚の原稿を読み取る際は、原稿の長さが１枚ごと検出され、原稿の長さに応じて原稿ごとに排出時の搬送速度が調整されるので、例えば、原稿長さの異なる複数枚の原稿が混載されていても、複数枚の原稿を読み取った後に、それら複数枚の原稿をスタッカー上に整列した状態で積載することができる。
【００２３】
上記画像読取装置において、前記スタッカーの長さを調整する動力を供給可能な動力源を更に備え、前記制御部は、前記検出部が検出した前記原稿の長さに応じて前記スタッカーの長さを変更させることが好ましい。
【００２４】
この構成によれば、原稿の長さに応じてスタッカーの長さが変更される。よって、第２原稿であっても、スタッカーから先端側へ落下することを抑制できる。
上記画像読取装置において、前記スタッカーの先端部に設けられたストッパーが規制位置にあるか退避位置にあるかを検知するセンサーと、ユーザーに対して表示又は音声で報知可能な報知部とを備え、前記制御部は、前記センサーにより前記ストッパーが規制位置にあることを検知し、かつ前記検出部により前記第２原稿を検出すると、当該第２原稿の搬送を中断し、かつ前記報知部に前記ストッパーの退避位置への移動を促すメッセージを報知する。
【００２５】
この構成によれば、ストッパーが規制位置にありかつ原稿が第２原稿である場合、この第２原稿の搬送が中断され、報知部によりストッパーの退避位置への移動を促す旨が報知される。よって、スタッカーのストッパーが規制位置にある状態のまま第２原稿の読取動作が開始され、第２原稿がストッパーに当たってその整列性が悪化する事態を未然に回避することができる。
【００２６】
上記画像読取装置において、複数の原稿を載置可能な給送部を更に備え、前記給送部は、下側に載置された原稿から順番に給送することが好ましい。
この構成によれば、給送部によって、下側に載置された原稿から順番に給送される。よって、給送部に給送させるためにセットされた原稿の順番と同じ順番にスタッカー上に積載することができる。
【図面の簡単な説明】
【００２７】
【図１】一実施形態における画像読取装置を示す斜視図。
【図２】画像読取装置を示す模式側断面図。
【図３】第１原稿を読み取るときの画像読取装置を示す模式側面図。
【図４】第２原稿を読み取るときの画像読取装置を示す模式側面図。
【図５】画像読取装置の電気的構成を示すブロック図。
【図６】原稿読取り過程における搬送制御を示すタイミングチャート。
【図７】画像読取制御を示すフローチャート。
【発明を実施するための形態】
【００２８】
以下、画像読取装置の一実施形態を、図面を参照して説明する。
図１に示すように、本実施形態の画像読取装置１１は、側面視が略台形形状を有する装置本体１２（以下、単に「本体１２」という。）と、画像読取対象である原稿Ｄが載置（セット）される載置面１３Ａを有する原稿サポート１３とを備える。原稿サポート１３に載置された原稿Ｄは、本体１２の上部に開口する給送口１２Ａから本体１２内へ１枚ずつ給送される。給送された原稿Ｄは、本体１２内を所定の搬送経路２９（図２参照）に沿って搬送され、その搬送途中の読取位置で画像が読み取られた後、本体１２の前側下部に開口する排出口１２Ｂから排出され、図２に示すようにスタッカー１５（例えば排出トレイ）上に積載される。
【００２９】
原稿サポート１３は、本体１２に対して基端部（下端部）が回動可能に連結された第１サポート部１４Ａと、第１サポート部１４Ａの先端部に対して基端部が回動可能に連結された第２サポート部１４Ｂとを備える。第２サポート部１４Ｂの先端部には、スライド式の補助サポート部１４Ｃが出退可能に設けられている。原稿サポート１３は、本体１２の後側上方へ斜めに延出することで原稿Ｄを載置可能な平面状の載置面１３Ａを形成する図１に示す開位置（使用位置）と、ユーザーが開位置から図１の紙面手前方向へ回動することで本体１２の上面部及び前面部１２Ｃを覆う閉位置（収納位置）とに配置可能となっている。
【００３０】
原稿サポート１３には、原稿Ｄが搬送される搬送方向Ｙと交差（特に直交）する幅方向Ｘにスライド可能な一対のエッジガイド１７が設けられている。載置面１３Ａ上に積載された原稿Ｄは、一対のエッジガイド１７に挟まれることで、給送口１２Ａに対して幅方向Ｘに位置決めされる。なお、幅方向Ｘが、画像読取装置１１が原稿Ｄの画像を読み取るときの主走査方向、搬送方向Ｙが副走査方向となる。
【００３１】
図１及び図２に示すように、本体１２は、本体部１８と、本体部１８の前端部を中心に回動可能に連結されたカバー部１９とを備える。カバー部１９が図１及び図２に示す閉位置に配置された状態では、図２に示すように、本体部１８とカバー部１９との間に給送口１２Ａから排出口１２Ｂに至るまで延びる搬送経路２９（搬送通路）が形成される。ユーザーが図１に示す操作部１９Ａを操作してカバー部１９の係止を解除し、カバー部１９を図１に示す閉位置から、その前端部を中心に図１の紙面手前側へ開位置まで回動させると、搬送経路２９が露出状態となり、原稿Ｄの紙詰まり（ジャム）の解消や給送・搬送用のローラー３３及びローラー対３４〜３６（図２参照）のメンテナンス等が行われる。また、図１に示すように、本体部１８には排出口１２Ｂの下側にスタッカー１５が前後方向にスライド可能な状態で収納されている。ユーザーはスタッカー１５を図１に示す収納状態から前方へスライドさせて引き延ばすことにより使用する。このとき、スタッカー１５は、原稿Ｄの長さに応じた長さに引き延ばされる。また、スタッカー１５の先端部には、スタッカー１５上に積載された所定サイズの原稿Ｄの先端を当てて原稿Ｄを整列させるための回動式のストッパー１５Ａが設けられている。
【００３２】
図１に示すように、本体１２（カバー部１９）の前面部１２Ｃには、操作部２０が設けられている。操作部２０は、画像読取装置１１に指示を与えるときにユーザーによって操作される複数の操作用のスイッチ２１〜２５を備える。詳しくは、操作部２０は、電源スイッチ２１、スタートスイッチ２２、ストップスイッチ２３、モード選択スイッチ２４及びその他の機能を有するスイッチ２５などを含む。操作部２０に隣接する位置には、例えばＬＥＤ等により点灯と点滅の少なくとも一方と消灯とが可能、あるいは点灯時の点灯色の変更が可能な表示灯よりなる報知部２７が設けられている。報知部２７は、例えば電源のオン／オフ、現在選択中のモードなどのユーザーに必要な情報を、点灯・消灯あるいは点灯色の変更によって報知する。なお、図１に示す本体１２の前面部１２Ｃにおける所定箇所に例えば液晶パネル等よりなる表示部（図示略）を設け、表示部による表示により必要な情報を報知する構成でもよい。
【００３３】
図２に示すように、画像読取装置１１の本体１２内には、原稿Ｄを搬送する搬送機構３０と読取部４０とが備えられている。搬送機構３０は、原稿サポート１３上に積載（セット）された複数枚の原稿Ｄを１枚ずつ本体１２内へ案内しつつ給送する給送部３０Ａと、給送した原稿Ｄを搬送経路２９に沿って読取領域ＳＡを通るように搬送する搬送部３１と、搬送部３１による搬送途中で画像が読み取られた後の原稿Ｄを排出する排出部３２とを有している。
【００３４】
給送部３０Ａは、複数枚の原稿Ｄを積載状態にセット可能な前述の原稿サポート１３と、本体１２内の搬送経路２９の上流端位置に、給送ガイド３０Ｂと対向する１つの給送ローラー３３（ピックアップローラー）とを備えている。給送部３０Ａは、原稿サポート１３上に積載された複数枚の原稿Ｄを１枚ずつ給送口１２Ａから給送ガイド３０Ｂに沿って給送する。搬送部３１は、給送ローラー３３よりも搬送方向Ｙの下流側の位置に配置された給送ローラー対３４と、搬送方向Ｙにおいて読取領域ＳＡよりも上流側の位置に配置された搬送ローラー対３５とを備えている。排出部３２は、搬送方向Ｙに読取領域ＳＡよりも下流側の位置に配置された排出ローラー対３６を備えている。なお、排出ローラー対３６は、搬送ローラー対３５と共に原稿Ｄの読取り中の搬送も担う。
【００３５】
給送系の複数のローラー３３，３４Ａは、これらの動力源である給送モーター３７の動力により回転駆動する。また、給送系の分離ローラー３４Ｂ及び搬送系のローラー対３５，３６を構成する駆動ローラー３５Ａ，３６Ａは、その動力源である搬送モーター３８の動力により回転駆動する。原稿サポート１３に積載された複数枚の原稿Ｄは、給送ローラー３３により最下位のものから１枚ずつ順番に給送口１２Ａから本体１２内へ給送される。このように給送部３０Ａ（ローラー３３，３４Ａ等）は給送モーター３７を動力源として駆動し、搬送部３１（搬送ローラー対３４等）と排出部３２（排出ローラー対３６等）は、搬送モーター３８を共通の動力源として駆動する。
【００３６】
給送ローラー対３４は、駆動ローラー３４Ａと分離ローラー３４Ｂ（リタードローラー）とにより構成される。分離ローラー３４Ｂは、原稿Ｄに対する外周面の摩擦係数が、駆動ローラー３４Ａのそれよりも大きいうえ、駆動ローラー３４Ａよりも回転速度が若干低速で回転する。両ローラー３４Ａ，３４Ｂの外周面の摩擦係数の差と回転速度差とを利用し、仮に給送ローラー３３から原稿Ｄが複数枚重なって重送されても、給送ローラー対３４は、一番下の１枚を分離して搬送方向Ｙの下流側へ給送する。なお、給送口１２Ａには、給送ガイド３０Ｂを含む可動式の給送機構が設けられている。この給送機構は給送モーター３７の動力により給送ローラー３３と連動して駆動され、原稿Ｄを給送口１２Ａへ給送する過程で給送路を開きかつセット状態の原稿Ｄを給送ローラー３３の外周面に押し付け、原稿Ｄを給送口１２Ａへ送り込んだ後に後続原稿の侵入を阻止すべく給送路を閉じるように動作する。これにより原稿Ｄは給送ローラー３３により１枚ずつ給送される。
【００３７】
また、ローラー対３５，３６は、駆動ローラー３５Ａ，３６Ａと従動ローラー３５Ｂ，３６Ｂとにより構成される。ローラー対３５，３６は、原稿Ｄを読み取るときに同じ搬送速度（読取速度）で原稿Ｄを搬送するように回転駆動する。各従動ローラー３５Ｂ，３６Ｂは、それぞれが対をなす駆動ローラー３５Ａ，３６Ａの回転により連れ回りする。なお、冊子原稿や折り原稿等の原稿Ｄについては、２枚の原稿サイズ大の透明フィルムを周縁部の一部で貼り合わせてなるキャリアシート（図示略）に挟んで原稿サポート１３にセットされ、キャリアシートごと搬送させることでこの種の原稿Ｄも読み取りできる。
【００３８】
図２に示すように、本体１２内には、搬送経路２９に沿って搬送される原稿Ｄの画像を読み取る読取部４０が設けられている。読取部４０は、搬送方向Ｙにおける２つの搬送ローラー対３５，３６の間の位置において搬送経路２９を挟む両側に一対設けられている。一対の読取部４０は、原稿Ｄの表面（下面）を読み取る第１読取部４０Ａと、原稿Ｄの裏面（上面）を読み取る第２読取部４０Ｂとからなり、搬送方向Ｙに互いに少しずれた位置に配置されている。一対の読取部４０は、搬送中の原稿Ｄに光を照射可能な光源４１と、主走査方向（幅方向Ｘ）に延びるイメージセンサー４２とにより構成されている。通常読取モードでは第１読取部４０Ａだけが読取動作を行い原稿Ｄの表面が読み取られ、両面読取モードでは第１読取部４０Ａと第２読取部４０Ｂとが共に読取動作を行い原稿Ｄの両面（表裏面）が読み取られる。
【００３９】
光源４１は、例えばＬＥＤや蛍光ランプ等により構成される。イメージセンサー４２は、光源４１から射出された光が原稿Ｄで反射した反射光を受光し、受光した光を電気信号に変換して受光量に応じた値の画素信号を出力する。イメージセンサー４２は、例えばリニアイメージセンサーである。画像読取装置１１は、カラースキャンとモノクロスキャン（グレースケールスキャン）とが可能である。なお、以下では、光源４１とイメージセンサー４２を、第１読取部４０Ａ側のものを指して、第１光源４１Ａ及び第１イメージセンサー４２Ａと記し、第２読取部４０Ｂ側のものを指して、第２光源４１Ｂ及び第２イメージセンサー４２Ｂと記す場合がある。
【００４０】
さらに、イメージセンサー４２と搬送経路２９を挟んで対向する位置には、色基準板４３が配置されている。色基準板４３はシェーディング補正用の白基準値を得るためのもので、白色を呈する白基準板又はグレー（灰色）を呈するグレー基準板が用いられる。グレー基準板の場合は、原稿の背景（グレー背景）として読み取って原稿Ｄの位置及び領域の検出にも用いられる。なお、原稿領域検出用のセンサーを別途設けた場合は、色基準板４３は白基準板であることが好ましい。
【００４１】
イメージセンサー４２は、複数の光電変換素子を主走査方向Ｘに沿って一列に配置した、例えばコンタクト型イメージセンサーである。さらにイメージセンサー４２は、具体的にはＣＭＯＳ（Complementary Metal Oxide Semiconductor）イメージセンサーである。イメージセンサー４２は、各光電変換素子が受光した光を光電変換して受光量に応じた値の画素信号を出力する。
【００４２】
また、図２に示すように、本体１２内には、複数のローラー対３４〜３６のうち搬送系の１つの駆動ローラーの回転を検出可能なエンコーダー４４（例えばロータリーエンコーダー）が設けられている。エンコーダー４４は、駆動ローラーの回転量に比例する数のパルスを含む検出信号を出力する。エンコーダー４４の検出信号は、本体１２内に配置された制御部５０（コントローラー）に入力され、制御部５０は搬送中の原稿Ｄ（キャリアシートを含む）の位置（搬送位置）の把握及び搬送速度の把握に用いられる。
【００４３】
図２に示す制御部５０は、ユーザーが操作する操作部２０（図１参照）からの操作信号又は後述するホスト装置１００からの読取ジョブで与えられた読取りの指示に基づき画像読取装置１１を制御する。制御部５０は、読取制御を行うときは、給送モーター３７、搬送モーター３８及び読取部４０（４０Ａ，４０Ｂ）を制御する。
【００４４】
図２に示すように、搬送方向Ｙの上流側から順に、給送ローラー３３、給送ローラー対３４、ローラー対３５，３６がそれぞれ配置され、それぞれ幅方向Ｘに間隔を隔てて一対ずつ配置されている。一対の給送ローラー３３の間には、原稿サポート１３にセットされた原稿Ｄの有無を検知する原稿センサー４５が配置されている。原稿センサー４５は、例えばレバーを有する接触式センサーであり、原稿サポート１３に原稿Ｄがセットされると、そのセットされた原稿Ｄがレバーを押すことでＯＮする。
【００４５】
制御部５０は、原稿Ｄが給送位置にセットされた際の原稿センサー４５のオン信号に基づき搬送カウンター８１をリセットし、搬送モーター３８の駆動中にエンコーダー４４から入力する検出信号のパルス又はパルスエッジの数を搬送カウンター８１が計数した計数値に基づいて、搬送対象の搬送方向Ｙの位置である搬送位置を把握する。
【００４６】
図２に示すように、搬送方向Ｙにおける給送ローラー対３４と搬送ローラー対３５との間の位置には、キャリアシートセンサー４６（以下、「ＣＳセンサー４６」ともいう。）が設けられている。ＣＳセンサー４６は、光学式センサーであり、搬送路を挟む両側に発光器と受光器とを備え、原稿Ｄ又はキャリアシートのマーク等の不透明部分を検知する。
【００４７】
さらに搬送方向Ｙにおいて駆動ローラー３４Ａ，３５Ａ間の位置には、原稿Ｄの重送を検出する重送センサー４７が配置されている。重送センサー４７は、例えば超音波式センサーであり、超音波を発信可能な発信器と、発信器に対して搬送経路２９を挟んで対向する位置に配置されて超音波を受信する受信器とを備える。なお、本例では、ＣＳセンサー４６がキャリアシートを検知したときは、重送誤検知を回避するために、重送センサー４７の検出信号に基づく重送検出は無効とされる。
【００４８】
また、搬送方向Ｙに搬送ローラー対３５のニップ点よりもやや下流側の位置には、原稿Ｄの有無を検出可能な原稿有無センサー４８が配置されている。原稿有無センサー４８は、例えばレバー（接触子）を有する接触式センサーである。原稿有無センサー４８は、原稿Ｄの先端がレバーを押すことで原稿Ｄを検知してＯＮし、その原稿Ｄの後端が通り過ぎてレバーが押されなくなると、原稿Ｄを検知しなくなってＯＦＦする。よって、制御部５０は、原稿有無センサー４８の検知信号（ＯＮ／ＯＦＦ）に基づき、原稿Ｄの先端が搬送ローラー対３５を通過したこと、及び原稿Ｄの後端が搬送ローラー対３５を通過したことを検知する。原稿有無センサー４８が原稿Ｄの先端と後端とを検知した検知結果は、読取部４０（４０Ａ，４０Ｂ）の読取動作の開始と終了のタイミングを決める制御に用いられる。また、原稿有無センサー４８は、原稿Ｄの先端と後端とを検知可能であるため、原稿Ｄの先端が検知されてから後端が検知されるまでの原稿Ｄの搬送距離に基づいて原稿Ｄの搬送方向Ｙにおける長さ、つまりその長さから決まる原稿サイズを検出する検出部４９を構成している。なお、原稿有無センサー４８は、光学式センサー等の非接触センサーとしてもよい。
【００４９】
図３に示すように、スタッカー１５は、複数のトレイ部材１５Ｂがスライド可能に接続された構造を有するスライド式であり、図１に示す収納位置から外側（排出方向Ｙ１）へスライドさせて段階的に長さ調整可能に引き出すことができる。スタッカー１５は、複数のトレイ部材１５Ｂにより長さ調整可能であるとともに、排出口１２Ｂ（図１参照）から排出された原稿Ｄが載置される載置部１５Ｃと、載置部１５Ｃの排出方向Ｙ１の先端部に設けられた回動式のストッパー１５Ａとを有している。スタッカー１５は、使用される際はユーザーによって原稿Ｄのサイズに応じて長さ調整される。図３に示すように、スタッカー１５は、先端寄りの部分が斜め上方へ向かってカーブする曲面形状に引き延ばされる。
【００５０】
図３に示すように、第１原稿Ｄ１であれば、スタッカー１５は、最大長よりも少し短い長さに引き延ばされて使用されると共に、その先端部のストッパー１５Ａが原稿Ｄの先端を当てて原稿Ｄのそれ以上の排出方向Ｙ１への移動を規制可能な起立姿勢をとる規制位置の状態に配置される。そのため、第１搬送速度Ｖ１で排出された第１原稿Ｄ１は、その先端がストッパー１５Ａに当たることでスタッカー１５上に整列状態で積載される。なお、図３では、第１原稿Ｄ１よりも排出方向Ｙ１に短い同図に二点鎖線で示す第３原稿Ｄ３が第１原稿Ｄ１と共に混載された状態で原稿サポート１３にセットされた状態を示している。
【００５１】
また、図４に示すように、スタッカー１５を最大長さに引き延ばした状態における載置部１５Ｃの排出方向Ｙ１の長さよりも排出方向Ｙ１に長い第２原稿Ｄ２については、ストッパー１５Ａを使用できない。このため、第２原稿Ｄ２を読み取るときは、図４に示すように、ストッパー１５Ａを外側（排出方向Ｙ１側）へ倒した傾倒姿勢をとる退避位置の状態で使用される。このとき、図４に示すように、スタッカー１５上に排出された第２原稿Ｄ２は、スタッカー１５の先端部で退避位置（傾倒姿勢）にあるストッパー１５Ａの先端から床面や机上面等の設置面に付くことがない程度に垂れ下がる。ところで、第２原稿Ｄ２を、ストッパー１５Ａが退避位置の状態にあるスタッカー１５上へ、第１原稿Ｄ１と同じ第１搬送速度Ｖ１で排出すると、その排出時の勢いで第２原稿Ｄ２はスタッカー１５上の整列性が悪化し、場合によってはスタッカー１５の先端から排出方向Ｙ１側へ落下する虞がある。そのため、本実施形態の画像読取装置１１では、原稿Ｄが第２原稿Ｄ２であるときは、第１原稿Ｄ１が排出されるときの第１搬送速度Ｖ１よりも遅い（低速な）第２搬送速度Ｖ２で第２原稿Ｄ２を排出する。
【００５２】
また、図３、図４において、先に搬送されて先に読み取られる原稿Ｄが先行原稿Ｄａであり、先行原稿Ｄａの次に搬送されて次に読み取られる原稿Ｄが後続原稿Ｄｂである。本実施形態では、先行原稿Ｄａが、第１搬送速度Ｖ１よりも低速な第２搬送速度Ｖ２で排出される第２原稿Ｄ２である場合、その排出時の速度差に起因し排出終了のタイミングが遅れることを考慮し、先行原稿Ｄａが第１原稿Ｄ１である場合よりも、後続原稿Ｄｂの給送開始タイミングを遅らせる。このため、先行原稿Ｄａが排出部３２（図２に示す排出ローラー対３６）から排出し終わってから、搬送モーター３８を第２搬送速度Ｖ２のときの低速な駆動速度から加速させても、後続原稿Ｄｂの読取開始位置への到達に間に合うように搬送部３１を読取速度（第１搬送速度Ｖ１）まで加速される。
【００５３】
次に図５を参照して、画像読取装置１１の電気的構成について説明する。図５に示すように、画像読取装置１１は、通信ケーブルを通じてホスト装置１００と接続されている。ホスト装置１００は、例えばパーソナルコンピューター（以下「ＰＣ」ともいう。）であり、その本体と電気的に接続された入力部１０１と表示部１０２とを備える。ホスト装置１００は、読取ドライバー用プログラムがインストールされることで、その内部に画像読取装置１１に対して読取り指示を行う機能をもつソフトウェアよりなる読取ドライバーを備える。なお、ホスト装置１００は、ＰＣに限らず、携帯情報端末（ＰＤＡ（Personal Digital Assistants））、タブレットＰＣ又はスマートフォン等のスマートデバイス等でもよい。
【００５４】
ユーザーは操作部２０又はホスト装置１００の入力部１０１を操作して、画像読取処理に関する設定条件を設定する。設定条件には、読取解像度、読取色、片面読取り・両面読取り等を含む読取条件と、シェーディング補正やガンマ補正等を含む画像処理条件と、読取データ（画像データ）の保存形式、転送方法及び保存先を含む保存条件とが含まれる。読取解像度には、例えば３００ｄｐｉ／６００ｄｐｉがあり、読取色には、モノクロ（グレースケール）／カラーがある。保存形式には、ＰＤＦ形式、ＪＰＥＧ形式、ＧＩＦ形式等がある。また、転送方法には、ホスト装置１００への転送及びメール転送があり、保存先に保存先のアドレスが指定される。なお、設定条件は、ユーザーが画像読取装置１１の操作部２０を操作して設定する構成でもよい。
【００５５】
図５に示すように、画像読取装置１１は、これを統括的に制御する制御部５０を内蔵している。制御部５０は、マイクロプロセッサー等からなるコンピューター６０を備える。コンピューター６０は、読取制御の際に実行すべきプログラムＰＲ等を記憶する記憶部６１を備えている。なお、記憶部６１は、例えば不揮発性メモリー及びＲＡＭからなる。
【００５６】
また、制御部５０は、ホスト装置１００から各種のデータや信号を入力する入力インターフェイスからなる入力部６２と、画像読取装置１１が読み取った読取データをホスト装置１００に出力する出力インターフェイスからなる出力部６３とを備える。さらに制御部５０は、イメージセンサー４２Ａ，４２Ｂに対して読出動作を含む各種の動作タイミングを規定するパルス信号を出力するタイミングジェネレーター６４（以下「ＴＧ６４」とも記す。）を備える。また、制御部５０は、イメージセンサー４２Ａ，４２Ｂから入力した画素信号をアナログ／デジタル変換（Ａ／Ｄ変換）するアナログフロントエンド６５（以下「ＡＦＥ６５」とも記す。）を備える。
【００５７】
図５に示す記憶部６１には、図７にフローチャートで示された読取制御用プログラムを含むプログラムＰＲが記憶されている。図５に示すコンピューター６０は、プログラムＰＲの実行により内部に構成されるソフトウェアからなる機能部分として、主制御部７０、搬送制御部７１、判別部７２、読取制御部７３及び画像処理部７４を備える。主制御部７０は、画像読取装置１１を統括的に制御する。
【００５８】
搬送制御部７１は、主制御部７０の指示に従って給送モーター３７及び搬送モーター３８を駆動制御する。給送モーター３７の駆動により給送ローラー３３が回転することで、原稿サポート１３にセットされた複数の原稿Ｄは最下位のものから１枚ずつ順番に本体１２内へ給送される。また、給送モーター３７が駆動されることで給送ローラー対３４を構成する一方の駆動ローラー３４Ａが回転駆動し、搬送モーター３８が駆動されることで他方の分離ローラー３４Ｂが回転駆動する。
【００５９】
さらに搬送制御部７１は、給送ローラー３３と原稿Ｄとの滑りを抑えるために最初は給送モーター３７を低速で駆動させ、低速度で給送ローラー３３が回転し始めてから、カウンターの計数値に基づき原稿Ｄが所定位置に到達すると、給送モーター３７の回転速度を増速させる。これにより、給送ローラー３３の低速回転により原稿Ｄを確実にピックアップできるうえ、その後の給送速度の増速により原稿Ｄが読取領域ＳＡの読取開始位置に到達するまでの所要時間を短縮して読取開始タイミングを相対的に早めに設定できる。原稿Ｄは、ローラー対３５，３６により搬送経路２９の途中の読取領域ＳＡを、ユーザーが設定した読取条件情報中の指定の読取解像度（例えば３００／６００ｄｐｉ）に応じた読取速度で搬送させる。例えば読取解像度が相対的に低い（例えば３００ｄｐｉ）場合は原稿Ｄが高速度で搬送され、読取解像度が相対的に高い（例えば６００ｄｐｉ）場合は原稿Ｄが低速度で搬送される。搬送制御部７１は、搬送カウンター８１を備えている。搬送カウンター８１は、原稿Ｄの搬送経路２９上の基準位置を原点とする原稿Ｄの搬送量（搬送距離）に相当する計数値を計数する。搬送制御部７１は、搬送カウンター８１の計数値から原稿Ｄの搬送経路２９上の位置（搬送位置）を取得する。搬送制御部７１は、予め設定された給送プロファイルデータを参照してその時の搬送位置に対応する目標速度を取得し、実速度を目標速度に近づけるように搬送系の各モーター３７，３８を速度制御する。
【００６０】
判別部７２は、複数のカウンター８２，８３を備える。第１カウンター８２は、原稿Ｄの搬送方向Ｙにおける長さ（搬送長さ）を計数するためのものである。原稿有無センサー４８が原稿Ｄの先端を検出すると、エンコーダー４４から入力するパルス信号のパルスエッジの数を計数する計数処理を開始し、原稿有無センサー４８が原稿Ｄの後端を検出するとその計数処理を停止する。これにより、制御部５０は、第１カウンター８２の計数値を基に原稿Ｄの搬送方向Ｙの長さ（原稿長さＬ）を取得する。第２カウンター８３は、エンコーダー４４から入力するパルス信号のパルスエッジの数を計数し、読取制御に必要な各種の計数値を計数する。第２カウンター８３は、例えば先行原稿Ｄａが搬送中である場合に、先行原稿Ｄａの読取り及び排出を妨げないように後続原稿Ｄｂの給送開始タイミングを決めるために、排出ローラー対３６が先行原稿Ｄａを排出し終わるまで待機する計数値を計数する。なお、第２カウンター８３は、クロック回路（図示略）からのクロック信号の例えばパルスエッジの数を計数することで待機時間を計時する構成でもよい。
【００６１】
図５に示すＣＳセンサー４６は、不図示のキャリアシート及び原稿Ｄの搬送方向Ｙの先端（下流端）を検知する。つまり、本例の画像読取装置１１は、ＣＳセンサー４６と原稿有無センサー４８とにより、原稿Ｄの先端及び後端を搬送経路２９上の異なる位置で検出する。そして、制御部５０は、これらのセンサー４６，４７の検出タイミングを基準に第２カウンター８３の計数処理を開始し、その計数値に基づいて給送開始タイミング、給送速度の増速タイミング、及び読取速度ＶＳから排出時の搬送速度Ｖ１又はＶ２へ変化させるタイミングを決定する。なお、第２カウンター８３は、上記の複数のタイミングを管理し、管理対象ごとに用意された複数のカウンターを含む。
【００６２】
本例の重送センサー４７は、発信器から発信された超音波が原稿Ｄを通るときに減衰した減衰後の超音波を受信器で受信してその減衰後の超音波の振幅に比例する大きさの検出値を有する検出信号を出力する。主制御部７０は、重送センサー４７の検出信号に基づき重送エラーを検出すると、読取動作を中断し、重送エラーの旨を、報知部２７の点灯又は点滅、及びホスト装置１００の表示部１０２へメッセージの表示によってユーザーに報知する。なお、主制御部７０は、原稿Ｄのジャムなどその他のエラー発生時も、必要に応じて読取動作を中断し、同様にエラーの旨を報知する。
【００６３】
また、読取制御部７３は、イメージセンサー４２に対して読出動作を含む各種動作の動作タイミングを規定するパルス信号を出力するＴＧ６４（タイミングジェネレーター）と、イメージセンサー４２から入力した画素信号をアナログ／デジタル変換（Ａ／Ｄ変換）するＡＦＥ６５（アナログフロントエンド）とを備える。読取制御部７３は、不図示の光源駆動部を介して光源４１の発光を制御し、原稿Ｄの読取領域に光を照射する。この搬送中に、読取制御部７３は、ＴＧ６４を介して読取部４０を制御し、読取部４０に原稿Ｄの画像を読み取らせる。読取部４０が読み取ったアナログの画像信号は、ＡＦＥ６５でデジタル信号に変換され、画像処理部７４に入力される。
【００６４】
画像処理部７４は、入力したデジタルの画像信号にシェーディング補正及びガンマ補正等の公知の補正処理を施して、原稿Ｄの画像データを生成する。画像データは、画像処理部７４から出力部６３を介して通信ケーブル（図示せず）を通じてホスト装置１００に転送される。
【００６５】
次に図６を参照して、給送モーター３７と搬送モーター３８との制御内容について説明する。図６には、原稿センサー４５、ＣＳセンサー４６、原稿有無センサー４８の各検出信号のＯＮ／ＯＦＦ状態、給送モーター３７と搬送モーター３８との速度プロファイルを示す。搬送モーター３８の速度プロファイルについては、通常時と減速排出時とをそれぞれ示す。制御部５０（特に搬送制御部７１）は、各モーター３７，３８を、各センサー４５，４６，４８の各検出信号及びカウンター８１〜８３（図５参照）の計数値に基づいて制御する。
【００６６】
給送モーター３７は、原稿センサー４５がＯＮのとき、かつ先行原稿Ｄａがないとき又は搬送中ではないとき（排出済みのとき）に給送を開始する。給送速度は、給送ローラー３３と原稿Ｄとの滑りを抑えるために低速に設定される。給送された原稿Ｄの先端部が、搬送ローラー対３５にニップされて原稿有無センサー４８がＯＮすると、給送モーター３７の駆動が停止される。また、先行原稿Ｄａがあるときは、先行原稿Ｄａの後端がＣＳセンサー４６を通過してＣＳセンサー４６がＯＦＦしてから、第２カウンター８３が所定値α１を計数すると、給送モーター３７の駆動を開始して第１給送速度Ｖａに達するまで加速する。さらにその先行原稿Ｄａの後端が原稿有無センサー４８を通過して原稿有無センサー４８がＯＦＦしてから、第２カウンター８３が所定値α２を計数すると、給送モーター３７の駆動速度を加速して第１給送速度Ｖａから第２給送速度Ｖｂへ増速させる。
【００６７】
本実施形態では、原稿Ｄの搬送方向の長さ、つまり原稿サイズに応じて原稿Ｄをスタッカー１５へ排出するときの排出速度（搬送速度）を変化させる制御が行われる。通常時（通常モード）では、原稿Ｄが第１原稿Ｄ１である場合、読取り終了後に第１原稿Ｄ１を第１搬送速度Ｖ１で排出する。減速排出時（減速排出モード）では、原稿Ｄが第１原稿Ｄ１よりも長い第２原稿Ｄ２である場合、読取り終了後に第２原稿Ｄ２を第１搬送速度Ｖ１よりも低速な第２搬送速度Ｖ２で排出する（Ｖ１＞Ｖ２）。ここで、制御部５０は、原稿有無センサー４８がＯＦＦしてから、第２カウンター８３が所定値βを計数すると、読取部４０の読取りが終了したと判断し、搬送モーター３８の駆動速度を変更し、原稿Ｄの搬送速度を読取速度ＶＳからその原稿Ｄの検出長さ（原稿長さＬ）に応じて排出時の搬送速度Ｖ１又はＶ２へ切り換える。なお、図６において、原稿有無センサー４８がＯＮしてから次にＯＦＦするまでの原稿Ｄの搬送距離が、第１カウンター８２により計数される計数値で示される原稿Ｄの搬送方向Ｙにおける長さである原稿長さＬに相当する。また、図６において、読取中に給送ローラー対３４、搬送ローラー対３５及び排出ローラー対３６にニップされた状態で搬送されていた原稿Ｄは、その搬送途中でその後端が給送ローラー対３４から離れると、以後、搬送ローラー対３５と排出ローラー対３６とによる搬送に切り換わる。この切り換わり時に原稿Ｄの読取速度が第１搬送速度Ｖ１から少し低速な読取速度ＶＳへ減速させている。これは、給送ローラー対３４が搬送系のローラー対３５，３６よりも若干低速な速度で回転しており、給送ローラー対３４により負荷が無くなることで、読取速度が相対的に高速側へ変化することを抑制するためである。
【００６８】
次に画像読取装置１１の作用を説明する。ユーザーは原稿Ｄを画像読取装置１１に読み取らせるときは、原稿Ｄを原稿サポート１３に積載することによりセットする。ユーザーは、原稿Ｄをセットした後、必要に応じて読取条件を設定する操作を行い、その後、画像読取装置１１のスタートスイッチ２２を押下するか、又はホスト装置１００の入力部１０１を操作することで、画像読取装置１１に原稿の読み取りを指示する。
【００６９】
画像読取装置１１内のコンピューター６０は、原稿Ｄの読み取りを開始させるスキャン開始の指示を受け付けると、図７に示されるフローチャートを含むプログラムＰＲを実行する。以下、コンピューター６０が行う読取制御ルーチンについて、図７に示されるフローチャートを参照して説明する。
【００７０】
まずステップＳ１１では、制御部５０は、原稿ありであるか否かを判断する。原稿ありであればステップＳ１２に進み、原稿ありでなければ（つまり原稿なしであれば）当該ルーチンを終了する。
【００７１】
ステップＳ１２では、制御部５０は、先行原稿があるか否かを判断する。先行原稿がなければステップＳ１３に進み、先行原稿があればステップＳ１４に進む。
ステップＳ１３では、制御部５０は、給送及び搬送を開始する。先行原稿Ｄａがなければ（つまり１枚目であれば）、第１〜第３原稿Ｄ１〜Ｄ３のいずれであっても給送及び搬送を開始する。すなわち、制御部５０は、給送モーター３７及び搬送モーター３８の駆動を開始し、各ローラー３３，３４Ａ，３５Ａ，３６Ａを回転駆動させることにより、１枚目の原稿Ｄの給送を開始する。
【００７２】
ステップＳ１４では、制御部５０は、先行原稿が第２原稿であるか否かを判断する。先行原稿Ｄａが第２原稿Ｄ２であればステップＳ１５に進み、第２原稿Ｄ２でなければステップＳ１６に進む。このため、先行原稿Ｄａが第１原稿Ｄ１よりも長い第２原稿Ｄ２であればステップＳ１５に進み、第１原稿Ｄ１、及び第１原稿Ｄ１よりも短い第３原稿Ｄ３である場合にステップＳ１６に進む。
【００７３】
ステップＳ１５では、制御部５０は、待機時間が経過するまで待機する。ここで、制御部５０は、先行原稿Ｄａである第２原稿Ｄ２が排出部３２（排出ローラー対３６）を通過した後、搬送部３１及び排出部３２を第２原稿Ｄ２の排出時の第２搬送速度Ｖ２から読取部４０が次の後続原稿Ｄｂを読み取るときの読取速度に相当する第１搬送速度Ｖ１まで増速させる。そして、制御部５０は、搬送部３１及び排出部３２が読取速度に相当する第１搬送速度Ｖ１に達した後に、後続原稿Ｄｂの読取りが開始されるように後続原稿Ｄｂの給送開始タイミングを制御する。つまり、先行原稿Ｄａが第２原稿Ｄ２である場合は、先行原稿Ｄａが第１原稿Ｄ１である場合に比べ、搬送モーター３８を先行原稿Ｄａの排出時の駆動速度から増速させる際の開始速度が遅い分、後続原稿Ｄｂの給送開始タイミングを遅らせる。この後続原稿Ｄｂの給送開始タイミングを遅らせるために、制御部５０は、待機時間Ｔ１を経過するまで待機する。
【００７４】
本例では、図６に示すように、第２カウンター８３の計数値が所定値α１に達したことをもって後続原稿Ｄｂの給送を開始する。この所定値α１は、先行原稿Ｄａが第２原稿Ｄ２であるときは、第１原稿Ｄ１であるときよりも大きな値に設定され、この原稿サイズの違いによる所定値α１の差が、待機時間Ｔ１に相当する。このように後続原稿Ｄｂの給送開始タイミングを決める所定値α１の値は、先行原稿Ｄａの原稿長さＬ（例えば原稿サイズ）に応じて調整される。なお、待機時間Ｔ１を一定値としているが、第２原稿Ｄ２に属する原稿の長さに応じて待機時間Ｔ１を変化させてもよい。
【００７５】
ステップＳ１６では、制御部５０は、給送を開始する。これにより先行原稿Ｄａが第１原稿Ｄ１又は第３原稿Ｄ３である場合は、第２カウンター８３の計数値が所定値α１（図６を参照）に達した時点で給送を開始する。これに対して先行原稿Ｄａが第２原稿Ｄ２である場合、第２カウンター８３の計数値が第１原稿Ｄ１であるときよりも大きな値に設定された所定値α１に達した時点で給送を開始する。この結果、先行原稿Ｄａが第２原稿Ｄ２である場合、第１原稿Ｄ１である場合よりも待機時間Ｔ１だけ遅れて次の後続原稿Ｄｂの給送を開始する。このように後続原稿Ｄｂの給送開始タイミングは、先行原稿Ｄａが第１原稿Ｄ１である場合に比べ、第２原稿Ｄ２である場合に待機時間Ｔ１だけ遅くなる。制御部５０は、給送を開始した後続原稿Ｄｂをまず第１給送速度Ｖａで給送する。
【００７６】
ステップＳ１７では、制御部５０は、給送速度の加速タイミングに達したか否かを判断する。詳しくは、制御部５０は、第２カウンター８３の計数値が所定値α２（図６を参照）に達したことをもって給送速度を第１給送速度Ｖａから第２給送速度Ｖｂまで加速させる加速タイミングに達したと判断する。制御部５０は、給送速度の加速タイミングに達していなければ達するまで待機し、給送速度の加速タイミングに達すればステップＳ１８に進む。ここで、所定値α２は、先行原稿Ｄａが第１原稿Ｄ１である場合に比べ、先行原稿Ｄａが第２原稿Ｄ２である場合の方が大きな値に設定されている。これにより、先行原稿Ｄａが第２原稿Ｄ２である場合、第１原稿Ｄ１である場合に比べ、後続原稿Ｄｂを第１給送速度Ｖａから第２給送速度Ｖｂへ加速させる加速タイミングを遅らせる。このため、先行原稿Ｄａが第２原稿Ｄ２である場合にその排出時の搬送速度を第１搬送速度Ｖ１よりも低速な第２搬送速度Ｖ２まで減速させても、後続原稿Ｄｂの給送過程で給送部３０Ａと搬送部３１との間に過大な速度差が生じることを抑え、後続原稿Ｄｂを給送部３０Ａから搬送部３１へスムーズに受け渡すことが可能になる。
【００７７】
ステップＳ１８では、制御部５０は、給送速度を加速する。つまり、制御部５０は、加速タイミングに達すると、後続原稿Ｄｂの給送速度をそれまでの第１給送速度Ｖａから第２給送速度Ｖｂまで加速させる。この結果、後続原稿Ｄｂは、高速な第２給送速度Ｖｂで給送されることになり、早期に読取りを開始できるようになる。また、それまでは低速な第１給送速度Ｖａで後続原稿Ｄｂが給送されることにより、給送ローラー３３と原稿Ｄとの滑りを抑えつつ給送ローラー３３によって確実に原稿Ｄを送り出すことができる。
【００７８】
ステップＳ１９では、制御部５０は、読取部による原稿の読取りを開始する。詳しくは、制御部５０は、原稿Ｄの先端が原稿有無センサー４８に検知されていから計数を開始する搬送カウンター８１の計数値に基づき把握する原稿Ｄの搬送位置が読取開始位置に達すると、読取制御部７３に読取部４０による読取りの開始を指示する。読取制御部７３は、ＴＧ６４を介して読取部４０を構成するイメージセンサー４２に原稿Ｄの読取りを開始させ、イメージセンサー４２は読取信号をＡＦＥ６５により増幅及びＡ／Ｄ変換したデジタルの読取信号を画像処理部７４に出力する。画像処理部７４は、入力した読取信号を基に画像処理を施して画像データを生成する。
【００７９】
ステップＳ２０では、制御部５０は、原稿の読取中であるか否かを判断する。詳しくは、制御部５０は、原稿有無センサー４８による先行原稿Ｄａの後端の検出時に計数を開始した第２カウンター８３の計数値が所定値β（図６参照）に達したか否かを判断する。そして、制御部５０は、第２カウンター８３の計数値が所定値βに達していなければ、読取中と判断し、その計数値が所定値βに達すると、読取りが終了したと判断する。読取中であればステップＳ２１に進み、読取りを終了し読取中でなくなればステップＳ２３に進む。
【００８０】
ステップＳ２１では、制御部５０は、原稿の後端が検出されたか否かを判断する。原稿の後端が検出されなければステップＳ２０に戻り、原稿の後端が検出されればステップＳ２２に進む。ここで、原稿有無センサー４８は読取部４０よりも搬送方向Ｙの上流側に位置するので、原稿Ｄの読取中にその後端を検出してステップＳ２２に進むことになる。
【００８１】
ステップＳ２２では、制御部５０は、原稿長さを検出する。制御部５０は、原稿Ｄの先端を原稿有無センサー４８が検出したときに第１カウンター８２の計数を開始しており、原稿有無センサー４８がその原稿Ｄの後端を検出すると、そのときの第１カウンター８２の計数値を基に原稿長さＬを取得する。
【００８２】
ステップＳ２３では、制御部５０は、原稿が第１原稿であるか否かを判断する。すなわち、制御部５０（詳しくは判別部７２）は、原稿長さＬを基に原稿が、第１原稿Ｄ１であるか否かを判断する。ここで、第１原稿Ｄ１は例えばＡ４判サイズを含む第１のサイズ範囲に属する原稿であり、第２原稿Ｄ２は例えばＡ３判サイズを含む第２のサイズ範囲に属する原稿であり、第３原稿Ｄ３は例えばＡ５判未満の第３のサイズ範囲に属する原稿である。但し、本例では、搬送方向Ｙにおける原稿長さＬで原稿の種類を区別するため、同じ原稿サイズでも原稿をセットする向きによって異なる種類の原稿と判定される。制御部５０は、原稿Ｄが第１原稿Ｄ１であればステップＳ２４に進み、原稿Ｄが第１原稿Ｄ１でなければ、つまり第２原稿Ｄ２又は第３原稿Ｄ３であればステップＳ２５に進む。
【００８３】
ステップＳ２４では、制御部５０は、原稿を第１搬送速度で排出する。詳しくは、制御部５０は、第１原稿Ｄ１が読取終了位置まで搬送されて読取部４０による原稿Ｄの読取りが終了したことを、第２カウンター８３の計数値が所定値βに達したことをもって把握すると、搬送モーター３８の回転速度を増速させる。これにより制御部５０は、第１原稿Ｄ１の搬送速度を読取速度ＶＳから第１搬送速度Ｖ１に達するまで増速させ、排出部３２（ローラー対３６）により第１原稿Ｄ１を第１搬送速度Ｖ１で排出する。
【００８４】
ステップＳ２５では、制御部５０は、第２原稿又は第３原稿を第２搬送速度で排出する。詳しくは、制御部５０は、原稿Ｄが読取終了位置まで搬送されて読取部４０による原稿Ｄの読取りが終了したことを第２カウンター８３の計数値が所定値βに達したことをもって把握すると、搬送モーター３８の回転速度を減速させる。これにより制御部５０は、第２原稿Ｄ２又は第３原稿Ｄ３の搬送速度を読取速度ＶＳから第２搬送速度Ｖ２（＜Ｖ１）に達するまで減速させ、排出部３２（ローラー対３６）により第２原稿Ｄ２又は第３原稿Ｄ３を第２搬送速度Ｖ２で排出する。
【００８５】
こうして原稿Ｄの読取りを１枚終えるごとに、当該ルーチンを一旦終了する。制御部５０は、原稿センサー４５が後続原稿Ｄｂを検知していれば、再び当該ルーチンを開始し、後続原稿Ｄｂに対してステップＳ１１の処理から開始する。すなわち、制御部５０は、２枚目以降の原稿Ｄに対する処理とである、ステップＳ１１，Ｓ１２，Ｓ１４〜Ｓ２５の処理を実行する。そして、全ての原稿Ｄの読取りを終え、原稿センサー４５が後続原稿Ｄｂを検知しなくなると、受け付けた読取ジョブに基づく読取制御を終了する。
【００８６】
この読取制御の結果、図３に示すように、第１原稿Ｄ１は相対的に高速な第１搬送速度Ｖ１でスタッカー１５上に排出され、その先端がストッパー１５Ａに当たることで整列状態に積載される。また、図３に二点鎖線で示す第３原稿Ｄ３が混載されている場合、仮に第３原稿Ｄ３が第１原稿Ｄ１と同様の第１搬送速度Ｖ１で排出されたとすると、排出時の勢いでその先端がストッパー１５Ａに当たって跳ね返り第３原稿Ｄ３のスタッカー１５上の載置位置に排出方向Ｙ１のばらつきが生じる。これに対して、本実施形態では、第３原稿Ｄ３は第１搬送速度よりも低速な第２搬送速度Ｖ２で排出されるため、スタッカー１５上の上流側寄りの位置に揃った状態で積載される。
【００８７】
また、図４に示すように、第２原稿Ｄ２は相対的に低速な第２搬送速度Ｖ２で、ストッパー１５Ａが退避位置に傾倒した状態かつ最大長さに延出したスタッカー１５上にその先端部がスタッカー１５の先端から垂れ下がった状態で比較的整列した状態で積載される。このように原稿長さＬの違いに依らずどのサイズの原稿Ｄも読取り後にスタッカー１５上に整列した状態に積載される。
【００８８】
以上詳述した実施形態によれば、以下に示す効果を得ることができる。
（１）画像読取装置１１は、原稿を搬送する搬送部３１と、原稿の画像を読み取る読取部４０と、原稿の長さを検出する検出部４９と、読取部による読み取り後の原稿を排出する排出部３２と、排出された原稿を受けるスタッカー１５と、搬送部３１及び排出部３２を制御する制御部５０と、を備える。制御部５０は、検出部４９により検出された原稿の長さから特定される原稿Ｄが第１原稿Ｄ１であるときは、第１原稿Ｄ１を第１搬送速度Ｖ１で排出し、第１原稿Ｄ１よりも長い第２原稿Ｄ２であるときは、第２原稿Ｄ２を第１搬送速度Ｖ１よりも遅い第２搬送速度Ｖ２で排出する。よって、第１原稿Ｄ１は第１搬送速度Ｖ１でスタッカー１５へ排出され、第１原稿Ｄ１よりも長い第２原稿Ｄ２は第１搬送速度Ｖ１よりも遅い第２搬送速度Ｖ２でスタッカー１５へ排出される。この結果、スタッカー１５に排出された原稿Ｄの整列性をよくすることができる。
【００８９】
（２）制御部５０は、検出部４９の検出結果に基づき原稿Ｄが第２原稿Ｄ２である場合、読取部４０が当該第２原稿Ｄ２を読み取る間は第２原稿Ｄ２を読取速度（Ｖ１又はＶＳ）で搬送し、読取部４０が読み取りを完了したら、第２原稿Ｄ２の搬送速度を読取速度ＶＳから第２搬送速度Ｖ２に減速させる。よって、第２原稿Ｄ２を第１原稿Ｄ１と同様に適切な読取速度での読取りを終えてから、スタッカー１５上に整列した状態に排出することができる。
【００９０】
（３）搬送部３１及び排出部３２は共通の動力源として搬送モーター３８を有する。制御部５０は、先に給送された先行原稿Ｄａが第２原稿Ｄ２である場合、第２原稿Ｄ２が排出部３２を通過した後、搬送部３１及び排出部３２を増速させる。そして、搬送部３１及び排出部３２が第２原稿Ｄ２を排出するときの第２搬送速度Ｖ２から読取部４０が原稿Ｄを読み取るときの読取速度に相当する第１搬送速度Ｖ１に達した後に、先行原稿Ｄａの次に給送された後続原稿Ｄｂの読み取りが開始されるように、後続原稿Ｄｂの給送開始タイミングを制御する。よって、先行原稿Ｄａが第２原稿Ｄ２である場合、第２原稿Ｄ２が排出部３２を通過した後、搬送部３１及び排出部３２が増速される。そして、増速により、第２原稿Ｄ２を排出するときの第２搬送速度Ｖ２から、読取部４０が原稿Ｄを読み取るときの読取速度に相当する第１搬送速度Ｖ１に達した後に、後続原稿Ｄｂの読み取りが開始されるように後続原稿Ｄｂの給送開始タイミングが制御される。つまり、先行原稿Ｄａが第２原稿Ｄ２である場合は、先行原稿Ｄａが第１原稿Ｄ１である場合よりも、搬送モーター３８を先行原稿Ｄａの排出時の駆動速度から増速させるときの開始速度が遅い分、後続原稿Ｄｂの給送開始タイミングを遅らせる。このため、先行原稿Ｄａが第２原稿Ｄ２であってその排出速度を遅くした場合でも、読取部４０によって第２搬送速度Ｖ２よりも高速な適切な読取速度である第１搬送速度Ｖ１で後続原稿Ｄｂの読取りを開始することができる。
【００９１】
（４）制御部５０は、先行原稿Ｄａが第２原稿Ｄ２である場合は、先行原稿Ｄａが第１原稿Ｄ１である場合に比べ、後続原稿Ｄｂの給送開始タイミングを遅らせる。詳しくは、制御部５０は、先行原稿Ｄａが第２原稿Ｄ２である場合、後続原稿Ｄｂの給送開始タイミングを決める第２カウンター８３の計数値が達する所定値α１を、先行原稿Ｄａが第１原稿Ｄ１であるときよりも第２原稿Ｄ２であるときにより大きな値とする。これにより制御部５０は、先行原稿Ｄａが第２原稿Ｄ２である場合に、第１原稿Ｄ１である場合に比べ、後続原稿Ｄｂの給送開始タイミングを待機時間Ｔ１だけ遅らせる。よって、先行原稿Ｄａが第２原稿Ｄ２である場合に排出時の搬送速度を第１搬送速度Ｖ１よりも遅い第２搬送速度Ｖ２に遅くしても、後続原稿Ｄｂの読取りを適切な読取速度で開始することができる。このため、先行原稿Ｄａが第１原稿Ｄ１か第２原稿Ｄ２であるかに関わらず、後続原稿Ｄｂの読取りを適切な読取速度である第１搬送速度Ｖ１で開始することができる。
【００９２】
（５）原稿Ｄを給送して搬送部３１へ受け渡す給送部３０Ａを更に備える。制御部５０は、給送部３０Ａを制御し、原稿Ｄを第１給送速度Ｖａで給送した後に、第１給送速度Ｖａから第２給送速度Ｖｂまで加速する。先行原稿Ｄａが第２原稿Ｄ２である場合は、先行原稿Ｄａが第１原稿Ｄ１である場合に比べ、後続原稿Ｄｂを第１給送速度Ｖａから第２給送速度Ｖｂへ加速させる加速タイミングを遅らせる。詳しくは、先行原稿Ｄａが第２原稿Ｄ２である場合、加速開始タイミングを決める第２カウンター８３の計数値が達する所定値α２を、第１原稿Ｄ１である場合よりも大きくする。よって、先行原稿Ｄａが第２原稿Ｄ２である場合、第２原稿Ｄ２の排出時の搬送速度を第１搬送速度Ｖ１よりも遅い第２搬送速度Ｖ２としても、排出部３２と動力源が共通の搬送部３１と給送部３０Ａとの間の速度差が過大になることを回避し、後続原稿Ｄｂを給送部３０Ａから搬送部３１へスムーズに受け渡すことができる。
【００９３】
（６）制御部５０は、原稿Ｄが第１原稿Ｄ１よりも長さの短い第３原稿Ｄ３であるときは、当該第３原稿Ｄ３を第２搬送速度Ｖ２で排出する。よって、検出部４９により検出された原稿Ｄの長さから特定される原稿Ｄが、第１原稿Ｄ１よりも長さの短い第３原稿Ｄ３であるときは、第２原稿Ｄ２と同様に第２搬送速度Ｖ２で排出される。この結果、スタッカー１５に第３原稿Ｄ３を整列性よく積載することができる。例えば、スタッカー１５の長さが調整可能である場合に、第１原稿Ｄ１と第３原稿Ｄ３とが混載されている複数の原稿Ｄを読み取る場合において、スタッカー１５の長さが第１原稿Ｄ１の長さに合わせられている場合でも、スタッカー１５に第１原稿Ｄ１と共に第３原稿Ｄ３を整列した状態に積載することができる。
【００９４】
（７）スタッカー１５は、原稿Ｄの排出方向Ｙ１における長さが第１原稿Ｄ１よりも長くかつ第２原稿Ｄ２よりも短い所定の長さ範囲で長さ調整可能な載置部１５Ｃと、載置部１５Ｃにおける原稿Ｄの排出方向Ｙ１の先端部に設けられたストッパー１５Ａとを有する。ストッパー１５Ａは、規制位置と退避位置とに移動可能に設けられ、規制位置において原稿Ｄの排出方向Ｙ１の先端を当ててその原稿Ｄのそれ以上の排出方向Ｙ１への移動を規制する。よって、原稿Ｄが第２原稿Ｄ２であれば、排出部３２により第１原稿Ｄ１のときの第１搬送速度Ｖ１よりも遅い第２搬送速度Ｖ２で排出される。第１原稿Ｄ１よりも長い第２原稿Ｄ２はその先端部分がスタッカー１５のストッパー１５Ａを越えて垂れ下がる状態でスタッカー１５上に排出される。このとき、第２原稿Ｄ２は第１搬送速度Ｖ１よりも遅い第２搬送速度Ｖ２で排出されるので、スタッカー１５の先端から垂れ下がる状態で整列されて積載できる。第２原稿Ｄ２がスタッカー１５の先端から落下することを効果的に抑えることができる。
【００９５】
（８）制御部５０は、複数枚の原稿Ｄを読み取る読取ジョブでは、原稿Ｄの長さを１枚ごと検出し、排出部３２により原稿Ｄを排出するときの搬送速度を原稿Ｄごとに当該原稿Ｄの長さに応じて、第１搬送速度Ｖ１と第２搬送速度Ｖ２との間で切り換える。よって、複数枚の原稿Ｄを読み取る際は、原稿Ｄの長さが１枚ごと検出され、原稿Ｄの長さに応じて原稿Ｄごとに排出時の搬送速度が調整されるので、例えば、原稿長さの異なる複数枚の原稿Ｄが混載されていても、複数枚の原稿Ｄを読み取った後に、それら複数枚の原稿Ｄをスタッカー１５上に整列性よく積載することができる。
【００９６】
（９）画像読取装置１１は、複数枚の原稿Ｄを載置可能な給送部３０Ａを更に備え、給送部３０Ａは、複数枚の原稿Ｄを下側に載置されたものから１枚ずつ順番に給送する。そして、給送口１２Ａに対して搬送方向Ｙの下流側に位置する排出口１２Ｂから読取り後の原稿Ｄを給送時と同じ表裏の向きを保ったまま排出する。よって、給送部３０Ａを構成する原稿サポート１３にセットされた複数の原稿Ｄを、セット時と同じ順番で読取り後にスタッカー１５上に積載することができる。
【００９７】
上記実施形態は、以下に示す変更例のように変更してもよい。上記実施形態に含まれる構成と、下記変更例に含まれる構成とを任意に組み合わせてもよいし、下記変更例に含まれる構成同士を任意に組み合わせてもよい。
【００９８】
・図５に示すように、スタッカー１５の排出方向Ｙ１における長さを調整する動力を供給可能な動力源として同図に二点鎖線で示すスタッカーモーター９１を設ける。制御部５０は、検出部４９が検出した原稿Ｄの長さに応じてスタッカー１５の長さを変更させる。詳しくは、画像読取装置１１は、スタッカー１５の長さを検出するスタッカーセンサー（図示略）を備え、制御部５０は、スタッカーセンサーの検出結果を基に把握したスタッカー１５の排出方向Ｙ１における長さが、検出部４９が検出した原稿Ｄの長さに合っているか否かを判断する。制御部５０は、スタッカー１５の長さが、原稿Ｄの長さに合っていなければ、スタッカーモーター９１を駆動させてスタッカー１５の長さをそのときの原稿Ｄの長さに合った長さに調整する。よって、原稿Ｄの長さに応じてスタッカー１５の長さが変更される。したがって、原稿Ｄをそのサイズに依らずスタッカー１５上に整列する状態に排出することができる。例えば第２原稿Ｄ２がスタッカー１５の先端から落下することを抑制できる。
【００９９】
・図５に示すように、スタッカー１５の先端部に設けられたストッパー１５Ａが規制位置にあるか退避位置にあるかを検知する同図に二点鎖線で示すセンサー９２を設ける。制御部５０は、センサー９２によりストッパー１５Ａが規制位置にあることを検知し、かつ検出部４９により第２原稿Ｄ２を検出すると、第２原稿Ｄ２の読取りを中断し、かつユーザーに対して表示又は音声で報知可能な報知部２７に、ストッパー１５Ａの退避位置への移動を促すメッセージを報知する。また、制御部５０は、センサー９２によりストッパー１５Ａが退避位置にあることを検知し、かつ検出部４９により第１原稿Ｄ１を検出すると、第１原稿Ｄ１の読取りを中断し、かつユーザーに対して表示又は音声で報知可能な報知部２７に、ストッパー１５Ａの規制位置への移動を促すメッセージを報知する。これらの場合、検出部４９が第２原稿Ｄ２を検出した場合に限り、読取りの中断と報知とを行ってもよい。さらに、これらの場合、原稿Ｄの読取りの中断と、報知部２７による報知とのうち一方のみを行ってもよい。また、報知部２７は、液晶パネル等の表示部とし、文字でメッセージを報知することが好ましい。また、報知部は、音声でメッセージを報知するスピーカーでもよい。この構成によれば、ストッパー１５Ａが原稿Ｄの長さに応じた適切な位置（姿勢を含む）にない場合に原稿の読取りが中断され、報知部２７によりストッパー１５Ａの原稿長さに応じた位置への移動を促すメッセージが報知される。よって、スタッカー１５のストッパー１５Ａの位置が不適切であるにも関わらず、原稿Ｄの読取りが行われ、原稿Ｄがスタッカー１５上に積載された際の整列性が悪化する事態を未然に回避できる。
【０１００】
・搬送部３１及び排出部３２の動力源が共通であることに限定されず、搬送部３１及び排出部３２をそれぞれ別々の動力源で駆動してもよい。例えば搬送部３１の動力源を搬送モーターとし、排出部３２の動力源を排出モーターとする。原稿が第２原稿Ｄ２である場合は、排出モーターの駆動速度を減速して第２原稿Ｄ２を第２搬送速度Ｖ２で排出すればよい。
【０１０１】
・検出部４９を構成する原稿有無センサー４８の取付位置は、原稿Ｄが排出される前に原稿の長さを検出可能な位置であればよい。例えば、給送部３０Ａにセットされた原稿Ｄの長さが第１原稿であるか第２原稿であるかを区別して検出可能なセンサーでもよい。
【０１０２】
・検出部は、センサーを用いることに限定されず、ホスト装置１００から入力した原稿の長さを特定可能な原稿情報に基づいて原稿の長さを検出するものであってもよい。
・前記実施形態において第１原稿Ｄ１と第３原稿Ｄ３とは、異なる搬送速度で排出してもよい。すなわち、第２搬送速度Ｖ２は、第１搬送速度Ｖ１よりも低速であれば、第１原稿と第３原稿との排出時の搬送速度は異なってもよい。
【０１０３】
・イメージセンサーは、ＣＭＯＳイメージセンサーに限定されず、例えばＭＯＳ（Metal Oxide Semiconductor）イメージセンサー、又はＣＣＤ（charge coupled device）イメージセンサーとしてもよい。
【０１０４】
・イメージセンサー４２は、リニアイメージセンサーに限定されず、エリアイメージセンサーでもよい。
・コンピューター６０内の各機能部は、ソフトウェアに限らず、例えばＦＰＧＡ（field-programmable gate array）やＡＳＩＣ（Application Specific IC）等の電子回路によりハードウェアで実現したり、ソフトウェアとハードウェアとの協働により実現したりしてもよい。
【０１０５】
・原稿の材質は紙に限定されず、樹脂製のフィルムやシート、織物、金属フィルムなどであってもよい。
・画像読取装置は、スキャナー機能に加え、印刷機能及びコピー機能を備えた複合機の一部でもよい。
【０１０６】
・画像読取装置は、シートフィード型に限らず、フラットベッド型でもよい。フラットベッド型の画像読取装置である場合、本体内には副走査方向（Ｘ方向）に沿って移動可能なキャリッジを備え、キャリッジは、走査用モーターを動力源として移動し、キャリッジに設けられた光源及び読取部により、原稿台のガラス板上にセットされた原稿の画像を読み取る。この種のフラットベッド型の画像読取装置でも、原稿を自動で給送する自動原稿給送装置（オートシートフィーダー）が設けられたものであれば、読取り後の原稿をスタッカー上に整列した状態に積載することができる。
【符号の説明】
【０１０７】
１１…画像読取装置、１２…本体、１２Ａ…給送口、１２Ｂ…排出口、１３…原稿サポート、１５…スタッカー、１５Ａ…ストッパー、１５Ｂ…トレイ部材、１５Ｃ…載置部、２０…操作部、２７…報知部、３０…搬送機構、３０Ａ…給送部、３０Ｂ…給送ガイド、３１…搬送部、３２…排出部、３３…給送ローラー（ピックアップローラー）、３４…搬送部の一例を構成する給送ローラー対、３５…搬送部の一例を構成する搬送ローラー対、３６…排出部の一例としての排出ローラー対、３７…給送モーター、３８…動力源の一例としての搬送モーター、４０，４０Ａ，４０Ｂ…読取部、４１，４１Ａ，４１Ｂ…光源、４２，４２Ａ，４２Ｂ…イメージセンサー、４４…エンコーダー、４５…原稿センサー、４６…ＣＳセンサー、４７…重送センサー、４８…検出部の一例を構成する原稿有無センサー、４９…検出部、５０…制御部（コントローラー）、６０…コンピューター、６１…記憶部、７０…主制御部、７１…搬送制御部、７２…検出部の一例を構成する判別部、７３…読取制御部、７４…画像処理部、８１…搬送カウンター、８２…第１カウンター、８３…第２カウンター、９１…スタッカーモーター、９２…センサー、１００…ホスト装置、１０１…入力部、１０２…表示部、Ｘ…主走査方向（幅方向）、Ｙ…副走査方向、Ｄ…原稿、Ｄ１…第１原稿、Ｄ２…第２原稿、Ｄ３…第３原稿、Ｌ…原稿長さ、Ｖ１…第１搬送速度、Ｖ２…第２搬送速度、Ｖａ…第１給送速度、Ｖｂ…第２給送速度、ＶＳ…読取速度、Ｄａ…先行原稿、Ｄｂ…後続原稿、ＰＲ…プログラム。
【図１】
2019075690.tif 000003
【図２】
2019075690.tif 000004
【図３】
2019075690.tif 000005
【図４】
2019075690.tif 000006
【図５】
2019075690.tif 000007
【図６】
2019075690.tif 000008
【図７】
2019075690.tif 000009